(57)【要約】【課題】  電子文書は紙の文書とは異なり複製が容易であるため、唯一性のある正本とその複製物である副本との区別がつけられず、そのままでは正本の所持者を特定することができず、ファイルの授受を行っても正本の授受とないらない。【解決手段】  正当なファイルないしその複製物のうち正当な所持者の所持するものを真の正本とし、正当な所持者がだれであるかを示す情報と、ファイルが正本か否かを識別するための情報を併用する。それにより、ファイルに正本性が付与され、正本の所持者を特定できるようになり、ファイル授受に基づく正本の移転ができるようになる。【選択図】図５
2009169919.tif 000002
【特許請求の範囲】
【請求項１】
正当なファイルないしその複製物のうち正当な所持者の所持するものを真の正本（以下、正本とする）とし、正当な所持者が誰であるかという情報とファイルが正本ないし正本授受の際の過渡的複製物（以下、過渡的正本とする）であるか否かという情報の二つの情報を併せて管理することにより、ファイルに正本性を付与しファイル授受に基づく正本の移転を行うことを特徴とする正本移転システム。
【請求項２】
正当な所持者が誰であるかという情報として、正当な所持者のユーザーＩＤ（以下、正当所持者ＩＤとする）を用いることを特徴とし、ファイルが、正本性を付与する対象たる従来の電子文書（以下、内容電子文書とする）を元にして、それに正本ないし過渡的正本であるか否かを示すための属性値（以下、正副属性値とする）を付加したものであることを特徴とし、正本ファイルが、正本を指し示す正副属性値（以下、正本値とする）を有することを特徴とし、正本値に、ファイルの作成時に特定でない値が定められ、正本授受の際にそれまでとは異なった新たな値に定められることを特徴とし、正当所持者ＩＤの指し示す者（以下、正当所持者とする）が正本値を有するファイルを所持している状態は、正当な所持者が正当なファイルを所持している状態であり、この状態にあるファイルを正本とすることを特徴とし、正本値を有していないファイルを副本とすることを特徴とし、正当所持者以外が正本値を有するファイルを所持している状態は、正本を正当所持者から受領した過渡的状態であり引き続いて正本の移転に関する処理（以下、正本移転処理とする）が行われる状態であり、この状態にあるファイルを過渡的正本とすることを特徴とし、正本移転処理において、正当所持者ＩＤを受領者のユーザーＩＤに変更し、正本値をそれまでとは異なった新たな値に定め、受領者の所持するファイルの正副属性値を新しい正本値に書き換えることでそのファイルを正本とし、授与者の所持するファイルの正副属性値を古い値のままにしておくことでそのファイルを副本とすることを特徴とする請求項１記載の正本移転システム。
【請求項３】
正当所持者ＩＤと正本値を管理する正本情報管理サーバーと、利用者の端末での処理を行うファイル制御プログラムとを備えることを特徴とし、正本情報管理サーバーに正当所持者ＩＤを登録し、正本情報管理サーバーに登録されている正副属性値をもって正本値とすることを特徴とし、ファイル制御プログラムがファイルを開く際に、ファイルの所持者が正当所持者であるかの確認とファイルの正副属性値と正本情報管理サーバーの正本値との比較を行い、ファイルが過渡的正本の場合に引き続き正本移転処理を行うことを特徴とし、正本移転処理において、正当所持者ＩＤとして受領者のユーザーＩＤを正本情報管理サーバーに登録し、正本値としてそれまでとは異なった新たな値を定めて正本情報管理サーバーに登録し、ファイルの正副属性値を新たに定めた正本値に書き換えることを特徴とする請求項２記載の正本移転システム。
【請求項４】
正本移転処理の処理手順は、はじめに仮の正本値をそれまでとは異なった新しい値に定め、また受領者のユーザーＩＤを仮の正当所持者ＩＤとし、これらを正本情報管理サーバーに仮登録し、その後にファイル内の正副属性値を上記の仮の正本値に書き換え、その後に仮の正本値、仮の正当所持者ＩＤを真の値として正本情報管理サーバーに登録することであることを特徴とする請求項３記載の正本移転システム。
【請求項５】
利用者のユーザー管理がなされており、かつ利用者の端末が起動していることを期待できる範囲の閉じた環境下において、正本情報管理サーバーを各自の端末に構築し、正本情報管理サーバーはその端末の関与するファイルに対してのみその役割を果たすことで、独立した正本情報管理サーバーを要しないことを特徴とする請求項４記載の正本移転システム。
【請求項６】
正本の改訂を認めるシステム形態において、正本情報管理サーバーに正本ファイル作成時点および正本受領時点の内容電子文書の要約値（ハッシュ値）を記録し、正本情報管理サーバーで正当所持者ＩＤ、正本値、上記要約値の履歴を管理し、ファイル内に正本ファイル作成時点および正本移転時点の内容電子文書を記録し、正本情報管理サーバーに内容電子文書の複写物をバックアップとして残すことにより、正本の改訂履歴を管理して内容電子文書の信頼性を高めることを特徴とする請求項４または請求項５のいずれかに記載の正本移転システム。
【発明の詳細な説明】
【技術分野】
【０００１】  本発明は、ファイルの正本の移転に関する。
【背景技術】
【０００２】  電子文書は紙の文書とは異なる特徴が多々あり、それに対応すべく様々な技術が開発されてきた。例えば改ざんが容易であるという特徴に対応すべく要約値（ハッシュ値）が用いられるようになった。また、電子署名により、ファイルの内容について責任を負う者が誰であるかを確認できるようになった。【０００３】  しかし、容易に複製され他者へ授受されるため、唯一性のある正本とその複製物である副本との区別がつけられず、正本の所持者を特定することができず、ファイルの授受を行っても正本の授受とないらない。
【発明の開示】
【発明が解決しようとする課題】
【０００４】  ファイルに正本性を付与して正本と副本との区別を可能とし、ファイル授受に基づいて正本の移転が行われるシステムを提供することを目的とする。
【課題を解決するための手段】
【０００５】  本発明は、正当なファイルないしその複製物のうち正当な所持者の所持するものを真の正本（以下、正本とする）とし、正当な所持者が誰であるかという情報とファイルが正本ないし正本授受の際の過渡的複製物（以下、過渡的正本とする）であるか否かという情報の二つの情報を併せて管理することにより、ファイルに正本性を付与しファイル授受に基づく正本の移転を行うことを特徴とする正本移転システムである。【０００６】  正当な所持者が誰であるかという情報とファイルが正本ないし過渡的正本であるか否かという情報のうちいずれか一つの情報だけではファイル授受による正本の移転を行うことができず、本発明により二つの情報を併用することでファイル授受による正本の移転を実現できる。【０００７】  本発明の一つの態様において、正本移転システムは、正当な所持者が誰であるかという情報として、正当な所持者のユーザーＩＤ（以下、正当所持者ＩＤとする）を用いることを特徴とし、ファイルが、正本性を付与する対象たる従来の電子文書（以下、内容電子文書とする）に、正本ないし過渡的正本であるか否かを示すための属性値（以下、正副属性値とする）を付加したものであることを特徴とし、正本ファイルが、正本を指し示す正副属性値（以下、正本値とする）を有することを特徴とし、正本値に、ファイルの作成時に特定でない値が定められ、正本授受の際にそれまでとは異なった新たな値に定められることを特徴とし、正当所持者ＩＤの指し示す者（以下、正当所持者とする）が正本値を有するファイルを所持している状態は、正当な所持者が正当なファイルを所持している状態であり、この状態にあるファイルを正本とすることを特徴とし、正本値を有していないファイルを副本とすることを特徴とし、正当所持者以外が正本値を有するファイルを所持している状態は、正本を正当所持者から受領した過渡的状態であり引き続いて正本の移転に関する処理（以下、正本移転処理とする）が行われる状態であり、この状態にあるファイルを過渡的正本とすることを特徴とし、正本移転処理において、正当所持者ＩＤを受領者のユーザーＩＤに変更し、正本値をそれまでとは異なった新たな値に定め、受領者の所持するファイルの正副属性値を新しい正本値に書き換えることでそのファイルを正本とし、授与者の所持するファイルの正副属性値を古い値のままにしておくことでそのファイルを副本とすることを特徴とする。【０００８】  本発明では、授与者と受領者という対人関係において正本を捉え、それに関する情報を上記のように取り扱うことにより、ファイル授受に基づく正本の移転を実現している。【０００９】  本発明の一つの態様において、正本移転システムは、正当所持者ＩＤと正本値を管理する正本情報管理サーバーと、利用者の端末での処理を行うファイル制御プログラムとを備えることを特徴とし、正本情報管理サーバーに正当所持者ＩＤを登録し、正本情報管理サーバーに登録されている正副属性値をもって正本値とすることを特徴とし、ファイル制御プログラムがファイルを開く際に、ファイルの所持者が正当所持者であるかの確認とファイルの正副属性値と正本情報管理サーバーの正本値との比較を行い、ファイルが過渡的正本の場合に引き続き��本移転処理を行うことを特徴とし、正本移転処理において、正当所持者ＩＤとして受領者のユーザーＩＤを正本情報管理サーバーに登録し、正本値としてそれまでとは異なった新たな値を定めて正本情報管理サーバーに登録し、ファイルの正副属性値を新たに定めた正本値に書き換えることを特徴とする。【００１０】  本発明によれば、利用者の操作としてファイル授受やファイルを開くこと以外の特別な操作をすることなく、正本の移転を行うことができる。ファイル授受の例としては、メール添付やファイル転送のみならずＣＤ−Ｒを介した受け渡しなども挙げられる。【００１１】  本発明の一つの態様において、正本移転処理の処理手順は、はじめに仮の正本値をそれまでとは異なった新しい値に定め、また受領者のユーザーＩＤを仮の正当所持者ＩＤとし、これらを正本情報管理サーバーに仮登録し、その後にファイル内の正副属性値を上記の仮の正本値に書き換え、その後に仮の正本値、仮の正当所持者ＩＤを真の値として正本情報管理サーバーに登録することであることを特徴とする。【００１２】  本発明によれば、ネットワークの切断などにより正本移転処理が中断された場合でも、再処理により確実に正本を移転することができる。【００１３】  本発明の一つの態様において、正本移転システムは、利用者のユーザー管理がなされており、かつ利用者の端末が起動していることを期待できる範囲の閉じた環境下において、正本情報管理サーバーを各自の端末に構築し、正本情報管理サーバーはその端末の関与するファイルに対してのみその役割を果たすことで、独立した正本情報管理サーバーを要しないことを特徴とする。【００１４】  本発明の一つの態様として、正本の改訂を認めるシステム形態において、正本情報管理サーバーに正本ファイル作成時点および正本受領時点の内容電子文書の要約値（ハッシュ値）を記録し、正本情報管理サーバーで正当所持者ＩＤ、正本値、上記要約値の履歴を管理し、ファイル内に正本ファイル作成時点および正本移転時点の内容電子文書を記録し、正本情報管理サーバーに内容電子文書の複写物をバックアップとして残すことにより、正本の改訂履歴を管理して内容電子文書の信頼性を高めることを特徴とする。
【発明の効果】
【００１５】  本発明により、ファイルに正本性を付与して正本と副本との区別を可能とし、ファイル授受に基づいて正本の移転が行われるシステムを提供できる。
【発明を実施するための最良の実施形態】
【００１６】  以下、本発明の実施の形態を図１〜図１２に基づいて説明する。
【００１７】  図１は、システムの概略構成図である。正本情報管理サーバー１０と利用者３０の端末３１がネットワーク２０を介して接続されている。利用者３０の端末３１にファイル処理プログラム３２がある。ファイル３３は、内容電子文書３５に正副属性値３４を付加したものである。正本情報管理サーバー１０に、正本値１１と正当所持者ＩＤ１２が登録される。正本移転処理中には、仮正本値１３と仮正当所持者ＩＤ１４が登録される。
【００１８】  図２は、正当な所持者が正本を所持している状態を示した図である。正本情報管理サーバー１０に登録されている正当所持者ＩＤ１２の指し示す利用者ＵｓｅｒＡ３０が、正本情報管理サーバーに正本値１１として登録されている正副属性値Ｘと同じ正副属性値３４を有するファイル３３を所持しており、これは正当な所持者が正本を所持している状態である。
【００１９】  図３は、副本を所持している状態を示した図である。正本情報管理サーバー１０に正本値１１として登録されている正副属性値Ｘと利用者ＵｓｅｒＡ３０が所持するファイル３３の正副属性値Ｚが異なっており、これは副本を所持している状態である。
【００２０】  図４は、正本を正当な所持者から受領し正本移転処理が行われる前の過渡的状態を示した図である。正本情報管理サーバー１０に登録されている正当所持者ＩＤ１２の指し示す者ではない利用者ＵｓｅｒＢ４０が、正本情報管理サーバー１０に正本値１１として登録されている正副属性値Ｘと同じ正副属性値４４を有するファイル４３を所持しており、これは正本を正当な所持者から受領し正本移転処理が行われる前の状態である。
【００２１】  図５は、正本移転処理により正本が移転した状態を示した図である。正本移転処理により、正本情報管理サーバー１０の正本値１１と正当所持者ＩＤ１２が書き換えられ、利用者ＵｓｅｒＢ４０の所持するファイル４３の正副属性値４４が、正本情報管理サーバー１０に正本値１１として登録されている正副属性値Ｙに書き換えられており、これは正本移転処理により正本が移転した状態である。
【００２２】  図６は、ファイル作成手順の概要を示すフローチャートである。Ｓ５０、Ｓ５１、Ｓ５４の処理がファイル管理プログラムで行われ、Ｓ５２、Ｓ５３の処理が正本情報管理サーバーで行われる。
【００２３】  ファイル管理プログラムにおいて、元となる内容電子文書を読み込み（Ｓ５０）、正本情報管理サーバーに利用者のユーザーＩＤを伝達し正本値を要求する（Ｓ５１）。
【００２４】  引き続いて、正本情報管理サーバーにおいて、正本値として特定でない値を定めて登録し、正当所持者ＩＤとしてユーザーＩＤを登録する（Ｓ５２）。その後、ファイル処理プログラムに正本値を伝達する（Ｓ５３）。
【００２５】  それに続き、ファイル処理プログラムで、元となる内容電子文書に正本値を正副属性値として付加してファイルを作成する（Ｓ５４）。
【００２６】  図７は、ファイル処理ならびに正本移転処理の概要を示すフローチャートである。Ｓ６０、Ｓ６１、Ｓ６７〜Ｓ７２の処理がファイル管理プログラムにおいて行われ、Ｓ６２〜Ｓ６６、Ｓ７３の処理が正本情報管理サーバーで行われる。
【００２７】  ファイル管理プログラムにおいて、ファイルを開くこと（Ｓ６０）が契機となり一連の処理が開始される。まず、ファイル管理プログラムから正本情報管理サーバーに利用者のユーザーＩＤと所持するファイルの正副属性値を伝達して、そのファイルが正本か過渡的正本か副本かを正本情報管理サーバーに問い合わせる（Ｓ６１）。
【００２８】  引き続き、正本情報管理サーバーにおいて、利用者のユーザーＩＤと正当所持者ＩＤを比較し、ファイルの正副属性値と正本値を比較し、そのファイルが正本か過渡的正本か副本かの判定を行う（Ｓ６２）。
【００２９】  ここで、既に仮正当所持者ＩＤ、仮正本値の仮登録が行われていて、ファイル管理プログラムから伝達されたユーザーＩＤ、正副属性値に一致した場合は、以前行われた正本移転処理が「ファイル内の正副属性値の書き換え」（Ｓ７１）より後ろで中断し再度処理が行われている場合（以下、書換後再処理とする）であるので、「正当所持者ＩＤ、正本値の登録変更」（Ｓ７３）の処理に進む。
【００３０】  過渡的正本であれば、利用者のユーザーＩＤを仮の正当所持者ＩＤとし、仮の正本値としてそれまでとは異なった新たな値を定めて、仮登録する（Ｓ６５）。正本が複数の者に授受された場合を考慮してユーザーＩＤごとに異なった仮正本値を用いる。既にそのユーザーＩＤに対して仮正本値が定められている場合は、以前行われた正本移転処理が「仮正当所持者ＩＤ、仮正本値の仮登録」（Ｓ６５）より後ろで中断し再度処理が行われている場合であるので、登録されている仮正本値をそのまま用いる。
【００３１】  そしてファイル処理プログラムに正本か過渡的正本か副本かの判定結果を伝達し、さらに過渡的正本の場合には仮正本値を伝達する（Ｓ６６）。
【００３２】  それに続き、ファイル処理プログラムにおいて、ファイルが正本であれば正本としての処理を行う（Ｓ６９）。正本としての処理の内容は、内容電子文書４５の種類に応じたアプリケーションによる処理である。ファイルが副本であれば副本としての処理を行う（Ｓ７０）。ファイルが過渡的正本であれば、上記の仮の正本値でファイル内の正副属性値の書き換えを行い（Ｓ７１）、書き換えが実施されたことを正本情報管理サーバーに伝達する（Ｓ７２）。
【００３３】  正本情報管理サーバーにおいては、書き換え実施の伝達を受けて、上記の仮正当所持者ＩＤ、仮正本値を真の値として正当所持者ＩＤ、正本値の登録変更を行い（Ｓ７３）、これをもって、授与者から受領者に正本が移転したこととなる。
【００３４】  そしてファイル処理プログラムにおいて、正本としての処理を行う（Ｓ６９）。
【００３５】  上記の一連の処理により、ファイル処理ならびに正本移転処理が行われ、ネットワークの切断などにより正本移転処理が中断された場合でも、再処理により確実に正本を移転することができる。
【００３６】  図８は、図７のフローチャートの「仮正当所持者ＩＤ、仮正本値の仮登録」（Ｓ６５）の後の状態を示した図である。
新たに定められた仮正本値１３と、受領者４０のユーザーＩＤのＵｓｅｒＢが仮正当所持者ＩＤ１４として仮登録されている。
【００３７】  図９は、図７のフローチャートの「ファイル内の正副属性値の書き換え」（Ｓ７１）の後の状態を示した図である。ファイル内の正副属性値４４が、仮正本値１３の正副属性値Ｙで書き換えられている。
【００３８】  図１０は、利用者のユーザー管理がなされており、かつ利用者の端末が起動していることを期待できる範囲の閉じた環境下に限り、正本情報管理サーバーを各自の端末に構築し、正本情報管理サーバーはその端末の関与するファイルに対してのみその役割を果たすことで、独立した正本情報管理サーバーを要しないシステム構成の概要を示した図である。ＵｓｅｒＡ３０の作成したファイルをＵｓｅｒＢ４０が受領した場合、ＵｓｅｒＡ３０の端末３１の正本情報管理サーバー８１とＵｓｅｒＢの端末４１のファイル処理プログラム４２が役割を果たす。
【００３９】  図１１は、正本の改訂を認めるシステム運用において、ファイルが作成された時点の状態を示した図である。
ファイル３３の作成時に、元の内容電子文書を、内容電子文書Ａ２（３５）と内容電子文書Ａ１（３６ａ）の二つに記録する。内容電子文書Ａ１（３６ａ）はファイル作成時点の書き換え不可な履歴として記録される。ファイル３３が作成されてから授与するまでの正本の改訂は内容電子文書Ａ２（３５）に対して行われる。
正本情報管理サーバーには、ファイル３３の作成時に、正本値１１、正当所持者ＩＤ１２が登録され、作成時の履歴１７ａが記録され、内容電子文書Ａ１（１８ａ）が記録される。
【００４０】  図１２は、正本の改訂を認めるシステム運用において、ファイルが授受され正本移転処理が完了した後の状態を示した図である。正本移転処理の際に、内容電子文書Ａ２は内容電子文書Ａ３にコピーされる。内容電子文書Ａ２（４６ｂ）は、ファイル受領時点の書き換え不可な履歴として記録される。ファイル受領時から他の者に授与するまでの正本の改訂は内容電子文書Ａ３（４５）に対して行われる。正本情報管理サーバーには、ファイル受領時の正本移転処理において、正本値１１、正当所持者ＩＤ１２が登録され、受領時の履歴１７ｂが記録され、内容電子文書Ａ２（１８ｂ）が記録される。
【産業上の利用可能性】
【００４１】  本発明によれば正本を特定できるので、例えば違法コピーソフトの問題解決手段となる。音楽ソフトや映像ソフトも正本を特定できるので著作権管理が容易に行える。その他、紙の文書により行われており、電子文書に正本性がなかったために出来なかったことが出来るようになる。例えば紙の回覧により行われていた業務フローは、これまでは業務システムにワークフローを組み込む必要があったが、ファイルに正本性があるため紙の回覧の代わりにファイルの回覧によって行えるので簡便に行うことができる。また別の例としては、正本ファイルに権利を担わせれば、ファイルの授受による権利移転が可能となる。
【図面の簡単な説明】
【００４２】
【図１】システムの概略構成図である。
【図２】正当な所持者が正本を所持している状態を示した図である。
【図３】副本を所持している状態を示した図である。
【図４】正本を正当な所持者から受領し正本移転処理が行われる前の過渡的状態を示した図である。
【図５】正本移転処理により正本が移転した状態を示した図である。
【図６】ファイル作成手順の概要を示すフローチャートである。
【図７】ファイル処理ならびに正本移転処理の概要を示すフローチャートである。
【図８】仮正本値，仮正当所持者ＩＤを仮登録した状態を示した図である。
【図９】ファイル内の正副属性値を、仮の正本値で書き換えた状態を示した図である。
【図１０】独立した正本情報管理サーバーを要しないシステム構成の概要を示した図である。
【図１１】正本の改訂を認めるシステム運用において、ファイルが作成された時点の状態を示した図である。
【図１２】正本の改訂を認めるシステム運用において、ファイルが授受され正本移転処理が完了した後の状態を示した図である。
【符号の説明】
【００４３】１０    正本情報管理サーバー
１１    正本値
１２    正当所持者ＩＤ
１３    仮正本値
１４    仮正当所持者ＩＤ
１５    要約値
１６    仮の値（正本値、正当所持者ＩＤ、要約値）
１７ａ  作成時の履歴（正本値、正当所持者ＩＤ、要約値）
１７ｂ  受領時の履歴（正本値、正当所持者ＩＤ、要約値）
１８ａ  内容電子文書のバックアップ
１８ｂ  内容電子文書のバックアップ
２０    ネットワーク
３０    利用者
３１    端末
３２    ファイル処理プログラム
３３    ファイル
３４    正副属性値
３５    内容電子文書
３６ａ  内容電子文書の履歴、作成時の記録
４０    利用者（ＵｓｅｒＢ）
４１    端末（ＵｓｅｒＢ）
４２    ファイル処理プログラム（ＵｓｅｒＢ）
４３    ファイル（ＵｓｅｒＢ）
４４    正副属性値（ＵｓｅｒＢ）
４５    内容電子文書（ＵｓｅｒＢ）
４６ａ  内容電子文書の履歴、作成時の記録（ＵｓｅｒＢ）
４６ｂ  内容電子文書の履歴、受領時の記録（ＵｓｅｒＢ）
Ｓ５０  内容電子文書読込
Ｓ５１  正本値要求
Ｓ５２  正当所持者ＩＤ、正本値の登録
Ｓ５３  正本値の伝達
Ｓ５４  ファイル作成
Ｓ６０  ファイルを開く
Ｓ６１  正本性問い合わせ
Ｓ６２  正本性判定
Ｓ６３  書換後再処理かの判断
Ｓ６４  過渡的正本かの判断
Ｓ６５  仮正当所持者ＩＤ、仮正本値の仮登録
Ｓ６６  正本性判定結果と仮正本値の伝達
Ｓ６７  過渡的正本かの判断
Ｓ６８  正本かの判断
Ｓ６９  正本としての処理
Ｓ７０  副本としての処理
Ｓ７１  ファイル内の正副属性値の書き換え
Ｓ７２  書き換え実施報告
Ｓ７３  正当所持者ＩＤ、正本値の登録変更
８１    端末に構築された正本情報管理サーバー
８２    端末に構築された正本情報管理サーバー（ＵｓｅｒＢ）
【図１】
2009169919.tif 000003
【図２】
2009169919.tif 000004
【図３】
2009169919.tif 000005
【図４】
2009169919.tif 000006
【図５】
2009169919.tif 000007
【図６】
2009169919.tif 000008
【図７】
2009169919.tif 000009
【図８】
2009169919.tif 000010
【図９】
2009169919.tif 000011
【図１０】
2009169919.tif 000012
【図１１】
2009169919.tif 000013
【図１２】
2009169919.tif 000014